(57)【要約】【課題】異物の進入による問題を招来することなく良好な排水性を確保して下枠部材の段差をなくすこと。【解決手段】下枠部材１２の上壁上面から上方に向けて突設し、下枠部材１２の長手方向に沿って延在する溝５１を下枠部材１２の見込み方向に並設させる立壁部５０ｅと、立壁部５０ｅの上端縁部から溝５１の開口を狭めるように下枠部材１２の見込み方向に沿って突設し、下枠部材１２の上壁よりも上方となる部位に平坦面を構成する覆壁部５０ｆとを設けた建具であって、下枠部材１２の上壁において複数の溝５１に渡る部位に立壁部５０ｅ及び覆壁部５０ｆを分断し、かつ下枠部材１２の上壁を上下に貫通する排水口５２を設け、下枠部材１２において排水口５２の上方域を覆う位置に、分断した覆壁部５０ｆの間を連続させる一方、排水口５２の開口を確保して蓋部材５３を配設した。【選択図】図９−２
2011102503.tif 000002
【特許請求の範囲】
【請求項１】
上枠部材、下枠部材及び一対の縦枠部材を四周枠組することによって構成した開口枠と、この開口枠によって構成される開口を開閉するように当該開口枠に移動可能に配設した障子とを備え、
前記開口枠には、
前記下枠部材の上壁上面から上方に向けて突設し、前記下枠部材の長手方向に沿って延在する溝を前記下枠部材の見込み方向に並設させる立壁部と、
前記立壁部の上端縁部から前記溝の開口を狭めるように前記下枠部材の見込み方向に沿って突設し、前記下枠部材の上壁よりも上方となる部位に平坦面を構成する覆壁部と
を設けた建具であって、
前記下枠部材の上壁において複数の溝に渡る部位に前記立壁部及び前記覆壁部を分断し、かつ前記下枠部材の上壁を上下に貫通する排水口を設け、
前記下枠部材において前記排水口の上方域を覆う位置に、分断した覆壁部の間を連続させる一方、前記排水口の開口を確保して蓋部材を配設したことを特徴とする建具。
【請求項２】
前記下枠部材は、前記排水口の開口下方域に載置片部を有したものであり、
前記蓋部材は、
前記下枠部材の長手方向に沿った寸法が前記排水口よりも小さく形成し、当該排水口を貫通した状態で前記載置片部の上面に載置される支持脚部と、
前記支持脚部の上端部に形成し、前記支持脚部が前記載置片部の上面に載置された際に分断した覆壁部を連続させるとともに、前記排水口の上方域を覆う外装部と
を有したことを特徴とする請求項１に記載の建具。
【請求項３】
前記障子は、
前記開口枠に固定され、該開口枠によって構成される開口の一部を常時閉塞する固定障子と、
前記開口枠にスライド可能に配設した可動障子と
を備え、前記下枠部材は、
前記一対の縦枠部材の間に配設し、前記固定障子及び前記可動障子が配設される第１下枠構成体と、
前記固定障子に隣接して開放される開口枠の開口に対応する部位において前記第１下枠構成体に並設して配設される第２下枠構成体と
を備え、前記第２下枠構成体に前記立壁部、前記覆壁部及び前記排水口を設けたことを特徴とする請求項１に記載の建具。
【発明の詳細な説明】
【技術分野】
【０００１】
本発明は、開口枠の内部に障子を開閉可能に設けた建具に関するもので、特に下枠部材の段差をなくして平坦化した建具の排水構造に関するものである。
【背景技術】
【０００２】
室内外を仕切る壁の出入口や、浴室と脱衣室との間を仕切る壁の出入口のように、人が出入りする開口部分に設けられる建具には、バリアフリーを目的として、開口枠の下枠部材の段差をなくすようにしたものが種々提供されている。例えば、特許文献１に記載された建具では、開口枠の下枠部材において浴室側となる部分に下額縁が付設されている。下額縁は、上面に平坦面が構成されており、この平坦面を下枠部材の上面と同じ高さ位置に配置することによって下枠部材の段差をなくすようにしている。
【先行技術文献】
【特許文献】
【０００３】
【特許文献１】特開平１１−３１５６６９号公報
【発明の概要】
【発明が解決しようとする課題】
【０００４】
ところで、下額縁の上面を単に平坦に形成したのでは、屋外の水や浴室の水が掛かった場合、これらの水がそのまま上面に残存することになり、例えば建具が滑り易い状態となる。このため、特許文献１に記載された建具では、下額縁の上面に長手方向に沿って一対の溝を形成し、さらに各溝の底壁に複数の排水口を設けるようにしている。一対の溝を仕切る立壁部には、溝の開口を狭めるように下枠部材の見込み方向に沿って覆壁部が突設されており、この覆壁部の上面が平坦面を構成している。
【０００５】
こうした建具によれば、下額縁の上面に掛かった水の大半が溝の内部に至り、さらに排水口を通じて排出されることになり、平坦面に残存する水の量がきわめて少量となるため、建具が滑り易い状態となる事態を防止することが可能である。
【０００６】
しかしながら、上記のように形成した建具では、溝の底壁に形成した排水口が常時上方に大きく開放したままとなるため、内部にゴミ等の異物が進入し易くなり、上述した水の排水性に影響を与える等の問題を招来する恐れがある。また、排水口が常時開放された建具にあっては、下枠部材や下額縁が目に付きやすいこともあって、デザイン性の点でも好ましいとはいえない。
【０００７】
尚、こうした問題を防止するためには、排水口にフィルターを設置することが考えられる。しかしながら、フィルターを設置した場合には、内部への異物の進入は阻止することができるものの、ゴミの付着に起因してフィルターでの目詰りによる排水性の問題を新たに招来する恐れがある。
【０００８】
本発明は、上記実情に鑑みて、異物の進入による問題を招来することなく良好な排水性を確保して下枠部材の段差をなくすことのできる建具を提供することを目的とする。
【課題を解決するための手段】
【０００９】
上記目的を達成するため、本発明に係る建具は、上枠部材、下枠部材及び一対の縦枠部材を四周枠組することによって構成した開口枠と、この開口枠によって構成される開口を開閉するように当該開口枠に移動可能に配設した障子とを備え、前記開口枠には、前記下枠部材の上壁上面から上方に向けて突設し、前記下枠部材の長手方向に沿って延在する溝を前記下枠部材の見込み方向に並設させる立壁部と、前記立壁部の上端縁部から前記溝の開口を狭めるように前記下枠部材の見込み方向に沿って突設し、前記下枠部材の上壁よりも上方となる部位に平坦面を構成する覆壁部とを設けた建具であって、前記下枠部材の上壁において複数の溝に渡る部位に前記立壁部及び前記覆壁部を分断し、かつ前記下枠部材の上壁を上下に貫通する排水口を設け、前記下枠部材において前記排水口の上方域を覆う位置に、分断した覆壁部の間を連続させる一方、前記排水口の開口を確保して蓋部材を配設したことを特徴とする。
【００１０】
この発明によれば、大きな排水口を確保した場合にも、蓋部材によって覆壁部が連続するとともに排水口の上方域が覆われることになり、排水口が常時上方に大きく開放することがない。
【００１１】
また、本発明は、上述した建具において、前記下枠部材は、前記排水口の開口下方域に載置片部を有したものであり、前記蓋部材は、前記下枠部材の長手方向に沿った寸法が前記排水口よりも小さく形成し、当該排水口を貫通した状態で前記載置片部の上面に載置される支持脚部と、前記支持脚部の上端部に形成し、前記支持脚部が前記載置片部の上面に載置された際に分断した覆壁部を連続させるとともに、前記排水口の上方域を覆う外装部とを有したことを特徴とする。
【００１２】
この発明によれば、支持脚部を下枠部材の載置片部に載置させることにより、蓋部材を下枠部材に位置決めした状態で配設することができる。
【００１３】
また、本発明は、上述した建具において、前記障子は、前記開口枠に固定され、該開口枠によって構成される開口の一部を常時閉塞する固定障子と、前記開口枠にスライド可能に配設した可動障子とを備え、前記下枠部材は、前記一対の縦枠部材の間に配設し、前記固定障子及び前記可動障子が配設される第１下枠構成体と、前記固定障子に隣接して開放される開口枠の開口に対応する部位において前記第１下枠構成体に並設して配設される第２下枠構成体とを備え、前記第２下枠構成体に前記立壁部、前記覆壁部及び前記排水口を設けたことを特徴とする。
【００１４】
この発明によれば、立壁部、覆壁部及び排水口を設ける第２下枠構成体と、固定障子及び可動障子が配設される第１下枠構成体とを別に構成することができるため、これらを一体で成形する場合に比べてそれぞれの横断面形状を簡単化することができる。
【発明の効果】
【００１５】
本発明によれば、大きな排水口を確保した場合にも、蓋部材によって覆壁部が連続するとともに排水口の上方域が覆われることになり、排水口が常時上方に大きく開放することがないため、異物の進入による問題を招来することなく良好な排水性を確保して下枠部材の段差をなくすことが可能となる。
【図面の簡単な説明】
【００１６】
【図１】図１は、本発明の実施の形態である建具の正面図である。
【図２】図２は、図１に示した建具の横断面図である。
【図３】図３は、図１に示した建具において障子を移動させた状態の横断面図である。
【図４】図４は、図１におけるＡ−Ａ線断面図である。
【図５】図５は、図１におけるＢ−Ｂ線断面図である。
【図６】図６は、図１に示した建具の下枠部材を示す要部分解斜視図である。
【図７−１】図７−１は、図１に示した建具の下枠部材から蓋部材を取り外した状態を示す要部拡大斜視図である。
【図７−２】図７−２は、図１に示した建具の下枠部材に蓋部材を配設した状態を示す要部拡大斜視図である。
【図８−１】図８−１は、図１に示した建具の下枠部材から蓋部材を取り外した状態を示す要部縦断面図である。
【図８−２】図８−２は、図８−１におけるＣ−Ｃ線断面図である。
【図９−１】図９−１は、図１に示した建具の下枠部材に蓋部材を配設した状態を示す要部縦断面図である。
【図９−２】図９−２は、図９−１におけるＤ−Ｄ線断面図である。
【発明を実施するための形態】
【００１７】
以下、添付図面を参照しながら本発明に係る建具の好適な実施の形態について詳細に説明する。
【００１８】
図１は、本発明の実施の形態である建具の正面図、図２及び図３は、図１に示した建具の横断面図、図４及び図５は、図１に示した建具の縦断面図である。ここで例示する建具は、室内外を仕切る壁の出入口や、浴室と脱衣室との間を仕切る壁の出入口のように、人が出入りする開口部分に設けられたもので、開口枠１０とその内部に配設した固定窓（固定障子）２０及び可動窓（可動障子）３０とを備えている。尚、以下においては、建具の見込み方向において固定窓２０を室外側に配置し、可動窓３０を室内側に配置した「片引き窓」と称される建具を前提として説明を行う。
【００１９】
開口枠１０は、上枠部材１１、下枠部材１２及び左右一対の縦枠部材１３を四周枠組みすることによって構成したもので、壁Ｗに形成した矩形の開口ＷＯに対してそれぞれの縁部に沿うように配設してある。
【００２０】
固定窓２０及び可動窓３０は、それぞれ上框部材２１，３１、下框部材２２，３２及び左右一対の縦框部材２３，３３を四周框組みすることによって構成した框の内部に２枚のガラス板Ｇを保持したもので、開口枠１０の内部に配設してある。図２及び図３に示すように、固定窓２０及び可動窓３０は、それぞれの見込み方向寸法が、開口枠１０の見込み方向寸法に対してほぼ１／２となるように構成してあり、開口枠１０の内部にその見込み方向に沿って互いに並設してある。
【００２１】
ここで、固定窓２０に関しては、開口枠１０の上枠部材１１を上框部材２１として共用し、かつ開口枠１０の一方の縦枠部材１３を一方の縦框部材２３として共用することにより框が構成してあり、図１において開口枠１０の開口の右半分を閉塞する位置に固定してある。
【００２２】
これに対して可動窓３０は、開口枠１０の各枠部材１１，１２，１３とは独立した上框部材３１、下框部材３２及び一対の縦框部材３３によって框が構成してあり、開口枠１０に対して左右方向にスライドすることが可能である。具体的に説明すると、可動窓３０は、図４に示すように、下框部材３２の内部に戸車３４を備えており、戸車３４を下枠部材１２の上方域で適宜転動させることにより開口枠１０に対してスライドし、図１において開口枠１０の左半分に位置する開口（以下、「出入口Ｅ」という）を開閉するものである。
【００２３】
図４及び図５に示すように、この建具の下枠部材１２は、第１下枠構成体４０と第２下枠構成体５０とを備えて構成してある。
【００２４】
第１下枠構成体４０は、その上面に固定窓２０及び可動窓３０が配設される部分であり、一対の縦枠部材１３の間を連結するに十分な長さに構成してある。この第１下枠構成体４０は、見込み方向の室内側に位置する本体部分４１が中空の柱状に構成してあり、本体部分４１の上壁４１ａがほぼ水平な上面を構成している。これに対して第１下枠構成体４０において見込み方向の室外側に位置する部分は、本体部分４１よりも高さが低く構成してあり、固定窓２０の下框部材２２及び第２下枠構成体５０を取り付けるための共通の連結部４２を有している。この第１下枠構成体４０には、本体部分４１の上面に前壁部４１ｂ及び中壁部４１ｃが設けてあるとともに、これら前壁部４１ｂ及び中壁部４１ｃの間に位置する部位にレール部４１ｄ及びレールカバー４３が設けてある。
【００２５】
前壁部４１ｂ及び中壁部４１ｃは、それぞれ第１下枠構成体４０の上面に設けた薄板状部分である。前壁部４１ｂは、本体部分４１の上面において室内側に位置する縁部から上方に突出し、中壁部４１ｃは、本体部分４１において室外側の縁部よりもわずかに室内側に位置する部位の上面から上方に突出している。
【００２６】
レール部４１ｄは、本体部分４１の上面から上方に突出したもので、下枠部材１２の長手方向に沿ってそのほぼ全長となる部位に延在している。このレール部４１ｄは、開口枠１０に可動窓３０を配設した場合に戸車３４が転動するための軌道として機能するものである。
【００２７】
レールカバー４３は、幅の狭い平板状を成す基板部４３ａと、基板部４３ａの一側縁部から直角方向に屈曲した平板状を成す縦板部４３ｂと、縦板部４３ｂの先端部両側からそれぞれ基板部４３ａに対して平行となるように突出した平板状を成すカバー板部４３ｃとを一体に成形したものである。下枠部材１２の長手方向に沿ったレールカバー４３の全長は、開口枠１０の出入口Ｅをもっとも開放する位置まで可動窓３０をスライドさせた場合に露出される本体部分４１の上面よりもわずかに長く形成してある。このレールカバー４３は、基板部４３ａを本体部分４１の上面に当接させ、かつカバー板部４３ｃの上面を上方に向けた状態で前壁部４１ｂとレール部４１ｄとの間に取り付けてあり、前壁部４１ｂとレール部４１ｄとの隙間に介在してこれを覆っている。レールカバー４３によって覆われる本体部分４１の上面は、可動窓３０をスライドさせて出入口Ｅを開放した場合に露出される部分である。
【００２８】
図４及び図５からも明らかなように、第１下枠構成体４０における本体部分４１の上面に設けた前壁部４１ｂ、中壁部４１ｃ、レール部４１ｄ及びレールカバー４３は、それぞれの上端がほぼ同一の水平面上に位置するように構成してある。
【００２９】
第２下枠構成体５０は、下枠部材１２の長手方向に沿った寸法が開口枠１０の出入口Ｅに対応する長さに形成されたもので、開口枠１０の出入口Ｅおいて第１下枠構成体４０の本体部分４１よりも室外側となる部位に本体部分４１に対して並設してある。この第２下枠構成体５０は、第１下枠構成体４０の連結部４２に係合する係合溝部５０ａ及び中壁部４１ｃに設けた連結溝部４１ｅに係合する係合舌片部５０ｂを有しており、これら係合溝部５０ａ及び係合舌片部５０ｂを介して第１下枠構成体４０に固定してある。
【００３０】
第２下枠構成体５０の上壁５０ｃは、第１下枠構成体４０に形成した中壁部４１ｃの上端よりも低い位置においてほぼ水平に延在しており、その上面に後壁部５０ｄを有するとともに、後壁部５０ｄと第１下枠構成体４０の中壁部４１ｃとの間に複数の立壁部５０ｅを有している。
【００３１】
後壁部５０ｄは、図４〜図９に示すように、第２下枠構成体５０の上面において室外側に位置する縁部から上方に突出した薄板状部分である。この後壁部５０ｄの上端は、第１下枠構成体４０に形成した中壁部４１ｃの上端とほぼ同じ高さとなるように構成してある。
【００３２】
立壁部５０ｅは、それぞれ第２下枠構成体５０の上壁５０ｃから上方に向けて突設し、下枠部材１２の長手方向に沿って互いに平行となるように延在した薄板状部分であり、互いの間に下枠部材１２の長手方向に沿った複数の溝５１を構成している。それぞれの立壁部５０ｅには、覆壁部５０ｆが設けてある。覆壁部５０ｆは、立壁部５０ｅの上端縁部から下枠部材１２の見込み方向に沿って突設した薄板状部分であり、個々の上面に幅の広い平坦面を構成している。隣接する覆壁部５０ｆの先端部間には、溝５１の幅よりも小さい幅の排水用間隙が確保してある。図からも明らかなように、個々の覆壁部５０ｆは、上面が後壁部５０ｄの上端とほぼ同じ高さとなるように構成してある。
【００３３】
一方、第２下枠構成体５０には、排水口５２が設けてある一方、排水口５２に蓋部材５３が装着してある。排水口５２は、第２下枠構成体５０の上壁５０ｃにおいて見込み方向のほぼ全幅に渡る部位に上下方向に貫通し、かつその上方域に位置する立壁部５０ｅ及び覆壁部５０ｆをそれぞれ分断するように構成した開口である。本実施の形態では、下枠部材１２の長手方向においてその中央部及び両端部の合計３カ所に排水口５２が設けてあり、立壁部５０ｅ及び覆壁部５０ｆが４つに分断された構成となっている。個々の排水口５２は、上面視が互いに同一の長方形状を成している。それぞれの排水口５２は、下枠部材１２の長手方向に対して直交する向きに延在している。
【００３４】
第２下枠構成体５０において排水口５２よりも下方となる部位には、一対の載置片部５０ｇが設けてある。載置片部５０ｇは、第２下枠構成体５０において見込み方向の室内側及び室外側の両内壁面からそれぞれ内方に向けてほぼ水平に延在した部分であり、排水口５２の下方域に対してそれぞれ同一の高さ位置から突出している。
【００３５】
蓋部材５３は、矩形の板状を成す外装部５３ａと、この外装部５３ａの下面から下方に向けて突出した一対の支持脚部５３ｂとを備えて構成したものである。外装部５３ａは、第２下枠構成体５０に形成した排水口５２に合致する寸法に形成してあり、分断された覆壁部５０ｆ及び立壁部５０ｅの相互間に隙間なく挿入することが可能である。支持脚部５３ｂは、それぞれ外装部５３ａの下面に対して直交する方向に突出した後、個々の突出端部が互いに離隔する方向に向けて直角に屈曲しており、屈曲した部分の下面に外装部５３ａの上面と平行となる幅広の載置部５３ｃを構成している。蓋部材５３の支持脚部５３ｂは、下枠部材１２の長手方向に沿った幅ｄが、排水口５２の幅Ｄよりも小さい幅に形成してある。蓋部材５３の載置部５３ｃは、第２下枠構成体５０の排水口５２を挿通することのできる寸法に構成してある。載置部５３ｃから外装部５３ａの上面までの寸法ｈは、第２下枠構成体５０において載置片部５０ｇの上面から覆壁部５０ｆの上面までの距離Ｈと一致するように構成してある。
【００３６】
尚、開口枠１０を構成する枠部材１１，１２，１３及び框を構成する框部材２２，２３，３１，３２，３３としては、それぞれアルミニウムやアルミニウム合金の押出形材を適用している。特に、下枠部材１２を構成する第１下枠構成体４０及び第２下枠構成体５０のみならず、レールカバー４３や蓋部材５３に関しても、枠部材１１，１２，１３や框部材２２，２３，３１，３２，３３と同様、アルミニウムやアルミニウム合金の押出形材を適用している。
【００３７】
上記のように構成した建具では、図７−１、図８−１及び図８−２に示すように、第２下枠構成体５０の排水口５２に蓋部材５３の支持脚部５３ｂを挿入すると、図７−２、図９−１及び図９−２に示すように、支持脚部５３ｂの載置部５３ｃが第２下枠構成体５０の載置片部５０ｇの上面に当接した状態で蓋部材５３が第２下枠構成体５０に装着されることになる。
【００３８】
この状態においては、分断された覆壁部５０ｆの上面が蓋部材５３の外装部５３ａによって連続することになる。従って、開口枠１０に対して可動窓３０を移動させ、出入口Ｅを開放した場合にも、下枠部材１２の上面に段差ができることはなく、前壁部４１ｂ、レールカバー４３のカバー板部４３ｃ、レール部４１ｄ、中壁部４１ｃ、覆壁部５０ｆ、蓋部材５３の外装部５３ａ及び後壁部５０ｄが、互いの間に大きな隙間を構成することなくほぼ同一の水平面上に配置されることになり、バリアフリーを達成することができる。
【００３９】
しかも、可動窓３０を閉めた状態で屋外に配置される第２下枠構成体５０に雨水等の水が掛かった場合には、その大半が覆壁部５０ｆの相互間に確保された排水用間隙を通じて溝５１の内部に至る。溝５１に流れた水は、排水口５２を通じて第２下枠構成体５０の内部に排出され、さらに図示せぬ開口を通じて第２下枠構成体５０の外部に排出されることになり、覆壁部５０ｆの上面に残存する水の量がきわめて少量となる。従って、第２下枠構成体５０に水が掛かった場合にも、建具が滑り易い状態となる事態を防止することができる。
【００４０】
ここで、第２下枠構成体５０に構成した排水口５２は、蓋部材５３によって常時覆われることになり、大きな開口面積を確保した場合にも、ゴミ等の大きな異物が進入する恐れがない。この場合、蓋部材５３が覆うのは、排水口５２の上方域だけであって、排水口５２が直接覆われるわけではない。排水口５２の内部には、蓋部材５３を支持させるための支持脚部５３ｂが挿通することにはなるものの、排水口５２との間には十分な開口面積を確保することが可能である。これらの結果、上記建具においては、第２下枠構成体５０に高い排水性を確保することが可能となる。加えて、人が出入りする際に目に付きやすい下枠部材１２であるものの、排水口５２の上方域が蓋部材５３によって覆われ、外部に露出することがないため、デザイン性の点でもきわめて有利となる。
【００４１】
尚、上述した実施の形態では、建具として片引き窓を例示しているが、特に開口枠の開口を開閉して人が出入りするものであれば、その他の建具として構成することも可能である。
【００４２】
また、上述した実施の形態では、下枠部材１２を第１下枠構成体４０と第２下枠構成体５０とで構成しているが、必ずしもこれに限定されず、これらを一体とした下枠部材として構成しても良い。
【００４３】
さらに、上述した実施の形態では、溝５１に対して排水口５２を直交するように形成しているが、必ずしも直交するように排水口５２を設ける必要はなく、少なくとも２つの溝５１に渡って形成してあれば、溝５１に対して排水口５２が傾斜して設けてあっても構わない。
【符号の説明】
【００４４】
１０      開口枠
１２      下枠部材
４０      第１下枠構成体
５０      第２下枠構成体
５０ｅ      立壁部
５０ｆ      覆壁部
５１      溝
５２      排水口
５３      蓋部材
５３ａ      外装部
５３ｂ      支持脚部
５３ｃ      載置部
【図１】
2011102503.tif 000003
【図２】
2011102503.tif 000004
【図３】
2011102503.tif 000005
【図４】
2011102503.tif 000006
【図５】
2011102503.tif 000007
【図６】
2011102503.tif 000008
【図７−１】
2011102503.tif 000009
【図７−２】
2011102503.tif 000010
【図８−１】
2011102503.tif 000011
【図８−２】
2011102503.tif 000012
【図９−１】
2011102503.tif 000013
【図９−２】
2011102503.tif 000014